【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
帳票データに使用されているアイテムの更新に関する更新履歴情報を管理する情報処理装置であって、
前記帳票データに使用されているアイテム毎に、更新履歴情報が記憶された更新履歴記憶手段と、
複数のアイテムを関連するアイテムとして管理するアイテム管理手段と、
前記アイテムの更新履歴情報の登録要求を受け付ける登録要求受付手段と、
前記登録要求受付手段で受け付けたアイテムの更新履歴情報を登録する登録手段と、
前記登録要求受付手段で受け付けたアイテムに関連するアイテムがあるか否かを、前記アイテム管理手段により関連するアイテムとして管理されているか否によって判定する第１の関連判定手段と、
前記登録手段は、前記第１の関連判定手段により関連するアイテムがあると判定した場合に、前記アイテムの更新履歴情報の登録とともに、前記アイテムに関連するアイテムの更新履歴情報の登録を行うこと
を特徴とする情報処理装置。
【請求項２】
前記登録手段は、前記第１の関連判定手段により関連するアイテムがないと判定した場合に、前記アイテムに関連するアイテムの更新履歴情報の登録を行わず、前記アイテムの更新履歴情報の登録を行うこと
を特徴とする請求項1に記載の情報処理装置。
【請求項３】
前記更新履歴記憶手段に記憶された更新履歴情報に従って、前記帳票データに使用されているアイテムを表示する表示制御手段と、
前記表示制御手段で表示されているアイテムの表示に用いる履歴情報の世代の変更要求を受け付ける世代変更要求受付手段と、
前記世代変更要求受付手段で受け付けたアイテムに関連するアイテムがあるか否かを、前記アイテム管理手段により関連するアイテムとして管理されているか否によって判定する第２の関連判定手段と、
前記表示制御手段は、前記第２の関連判定手段により関連するアイテムがあると判定した場合には、前記表示制御手段で現在表示に用いている履歴情報とは異なる世代の更新履歴情報に従って、前記世代変更要求受付手段で受け付けたアイテムと当該アイテムに関連するアイテムを表示すること
を特徴とする請求項１または２に記載の情報処理装置。
【請求項４】
前記表示制御手段は、前記第２の関連判定手段により関連するアイテムがないと判定した場合には、前記表示制御手段で現在表示に用いている履歴情報とは異なる世代の更新履歴情報に従って、前記世代変更要求受付手段で受け付けたアイテムを表示すること
を特徴とする請求項３に記載の情報処理装置。
【請求項５】
帳票データに使用されているアイテムの更新に関する更新履歴情報を管理する、前記帳票データに使用されているアイテム毎に、更新履歴情報が記憶された更新履歴記憶手段と、複数のアイテムを関連するアイテムとして管理するアイテム管理手段とを備える情報処理装置によって行われる情報処理方法であって、
前記情報処理装置の登録要求受付手段が、前記アイテムの更新履歴情報の登録要求を受け付ける登録要求受付工程と、
前記情報処理装置の登録手段が、前記登録要求受付工程で受け付けたアイテムの更新履歴情報を登録する登録工程と、
前記情報処理装置の第１の関連判定手段が、前記登録要求受付工程で受け付けたアイテムに関連するアイテムがあるか否かを、前記アイテム管理手段により関連するアイテムとして管理されているか否によって判定する第１の関連判定工程と、
を備え、
前記登録工程は、前記第１の関連判定工程で関連するアイテムがあると判定した場合に、前記アイテムの更新履歴情報の登録とともに、前記アイテムに関連するアイテムの更新履歴情報の登録を行うこと
を特徴とする情報処理方法。
【請求項６】
帳票データに使用されているアイテムの更新に関する更新履歴情報を管理する、前記帳票データに使用されているアイテム毎に、更新履歴情報が記憶された更新履歴記憶手段と、複数のアイテムを関連するアイテムとして管理するアイテム管理手段とを備える情報処理装置を、
前記アイテムの更新履歴情報の登録要求を受け付ける登録要求受付手段と、
前記登録要求受付手段で受け付けたアイテムの更新履歴情報を登録する登録手段と、
前記登録要求受付手段で受け付けたアイテムに関連するアイテムがあるか否かを、前記アイテム管理手段により関連するアイテムとして管理されているか否によって判定する第１の関連判定手段
として機能させ、
前記登録手段は、前記第１の関連判定手段により関連するアイテムがあると判定した場合に、前記アイテムの更新履歴情報の登録とともに、前記アイテムに関連するアイテムの更新履歴情報の登録を行うこと
を特徴とするコンピュータプログラム。
【手続補正２】
【補正対象書類名】明細書
【補正対象項目名】００１０
【補正方法】変更
【補正の内容】
【００１０】
上記した目的を達成するために、本発明の情報処理装置は、帳票データに使用されているアイテムの更新に関する更新履歴情報を管理する情報処理装置であって、前記帳票データに使用されているアイテム毎に、更新履歴情報が記憶された更新履歴記憶手段と、複数のアイテムを関連するアイテムとして管理するアイテム管理手段と、前記アイテムの更新履歴情報の登録要求を受け付ける登録要求受付手段と、前記登録要求受付手段で受け付けたアイテムの更新履歴情報を登録する登録手段と、前記登録要求受付手段で受け付けたアイテムに関連するアイテムがあるか否かを、前記アイテム管理手段により関連するアイテムとして管理されているか否によって判定する第１の関連判定手段と、前記登録手段は、前記第１の関連判定手段により関連するアイテムがあると判定した場合に、前記アイテムの更新履歴情報の登録とともに、前記アイテムに関連するアイテムの更新履歴情報の登録を行うことを特徴とする。
【手続補正３】
【補正対象書類名】明細書
【補正対象項目名】００１１
【補正方法】変更
【補正の内容】
【００１１】
上記した目的を達成するために、本発明の情報処理方法は、帳票データに使用されているアイテムの更新に関する更新履歴情報を管理する、前記帳票データに使用されているアイテム毎に、更新履歴情報が記憶された更新履歴記憶手段と、複数のアイテムを関連するアイテムとして管理するアイテム管理手段とを備える情報処理装置によって行われる情報処理方法であって、前記情報処理装置の登録要求受付手段が、前記アイテムの更新履歴情報の登録要求を受け付ける登録要求受付工程と、前記情報処理装置の登録手段が、前記登録要求受付工程で受け付けたアイテムの更新履歴情報を登録する登録工程と、前記情報処理装置の第１の関連判定手段が、前記登録要求受付工程で受け付けたアイテムに関連するアイテムがあるか否かを、前記アイテム管理手段により関連するアイテムとして管理されているか否によって判定する第１の関連判定工程と、を備え、前記登録工程は、前記第１の関連判定工程で関連するアイテムがあると判定した場合に、前記アイテムの更新履歴情報の登録とともに、前記アイテムに関連するアイテムの更新履歴情報の登録を行うことを特徴とする。
【手続補正４】
【補正対象書類名】明細書
【補正対象項目名】００１２
【補正方法】変更
【補正の内容】
【００１２】
上記した目的を達成するために、本発明のコンピュータプログラムは、帳票データに使用されているアイテムの更新に関する更新履歴情報を管理する、前記帳票データに使用されているアイテム毎に、更新履歴情報が記憶された更新履歴記憶手段と、複数のアイテムを関連するアイテムとして管理するアイテム管理手段とを備える情報処理装置を、前記アイテムの更新履歴情報の登録要求を受け付ける登録要求受付手段と、前記登録要求受付手段で受け付けたアイテムの更新履歴情報を登録する登録手段と、前記登録要求受付手段で受け付けたアイテムに関連するアイテムがあるか否かを、前記アイテム管理手段により関連するアイテムとして管理されているか否によって判定する第１の関連判定手段として機能させ、前記登録手段は、前記第１の関連判定手段により関連するアイテムがあると判定した場合に、前記アイテムの更新履歴情報の登録とともに、前記アイテムに関連するアイテムの更新履歴情報の登録を行うことを特徴とする。